(57)【要約】  【課題】  セキュリティ監視技術において、簡単に不在モード、在宅モードの切替えを行えるようにするとともに、装置の消費電力を減らし電池寿命を伸ばせる技術を提供する。  【解決手段】  ドア、窓などの開閉動作の、センサ部による一定時間内の検知回数に基づき、動作モードを、検知データをセキュリティ機器側に無線送信可能な不在モードまたは該検知データを無線送信しない在宅モードに切替える制御手段を検知装置内に備えた構成とする。【選択図】  図１
2005135162.tif 000002
【特許請求の範囲】
【請求項１】
検知データを外部機器側に無線送信する無線送信機能付き検知装置であって、
ドア、窓を含む開閉体の開閉動作を検知し検知データとして出力するセンサ部と、
上記検知データを外部機器側に無線送信する送信手段と、
一定時間内の上記センサ部における上記開閉体の開閉動作の検知回数に基づき、動作モードを、上記送信手段から上記検知データを無線送信可能な第１のモードまたは無線送信しない第２のモードに切替える制御手段と、
を備えた構成を特徴とする無線送信機能付き検知装置。
【請求項２】
上記制御手段は、上記動作モードを切替えたとき、上記送信手段から上記動作モードの切替わりを示すモード切替えデータを、上記外部機器側に出力させるように制御する構成である請求項１に記載の無線送信機能付き検知装置。
【請求項３】
上記制御手段は、上記一定時間内の上記検知回数が所定の第１の検知回数のときには上記第１、第２のモード間で動作モードの切替えを行い、第２の検知回数のときには、該一定時間の設定を変更可能な設定モードに移行し、検知回数に従って該一定時間の設定または上記第１の検知回数の設定を変更可能な構成である請求項１に記載の無線送信機能付き検知装置。
【請求項４】
検知データを外部機器側に無線送信する無線送信機能付き検知装置であって、
ドア、窓を含む開閉体の開閉動作を検知し検知データとして出力するセンサ部と、
上記検知データを外部機器側に無線送信する送信手段と、
上記送信手段から上記検知データが無線送信された後、予め設定された所定時間にわたり作動し上記外部機器からモード切替えデータを受信する受信手段と、
一定時間内の上記センサ部における上記開閉体の開閉動作の検知回数と、上記モード切替えデータとに基づき、動作モードを、上記送信手段から上記検知データを無線送信可能な第１のモードまたは無線送信しない第２のモードに切替える制御手段と、
を備え、上記受信手段で上記モード切替えデータを受信した場合に、動作モードを上記第１のモードまたは上記第２のモードに切替える構成としたことを特徴とする無線送信機能付き検知装置。
【請求項５】
検知装置側からの検知データに基づきセキュリティ機器側で警報を発生して安全監視を行うセキュリティ監視装置であって、
上記検知装置は、ドア、窓を含む開閉体の開閉動作を検知し検知データとして出力するセンサ部と、上記検知データを外部機器側に無線送信する送信手段と、上記送信手段から上記検知データが無線送信された後、予め設定された所定時間にわたり作動し上記外部機器からモード切替えデータを受信する受信手段と、一定時間内の上記センサ部における上記開閉体の開閉動作の検知回数と上記モード切替えデータとに基づき、動作モードを、上記送信手段から上記検知データを無線送信可能な第１のモードまたは無線送信しない第２のモードに切替える制御手段とを備え、上記受信手段で上記モード切替えデータを受信した場合に、動作モードを上記第１のモードまたは上記第２のモードに切替える構成とされ、
上記セキュリティ機器は、上記検知装置が上記第１のモードのときに該検知装置から上記検知データを受信して警報を発する構成とされている、
ことを特徴とするセキュリティ監視装置。
【発明の詳細な説明】
【技術分野】
【０００１】
本発明は、検知データをセキュリティ機器側に無線送信して安全監視を行うセキュリティ監視技術に関する。
【背景技術】
【０００２】
近年、空き巣犯罪が増加している社会情勢等の理由から、ホームセキュリティシステムが普及してきている。該システムでは、家庭内において、ドアセンサや人検知センサ等の各種の異常検知装置を設置し、ユーザが不在中にこれらの検知装置が異常を検知すると、その検知信号をホームセキュリティ装置（セキュリティ機器）へ送信し、ホームセキュリティ装置ではこれを受信して異常事態の発生を認識し、警報を発して周囲に知らせたり、警備会社等に通報したりするようになっている。特に、配線工事が不要で設置が容易な構造のものとしては、ホームセキュリティ装置（セキュリティ機器）との間で無線通信が可能な電池駆動型の検知装置が製品化されている。センサ部を含む検知装置がホームセキュリティ装置（セキュリティ機器）を介して異常発生を伝えるホームセキュリティシステムの多くは、ホームセキュリティ装置が在宅／不在を認識しているため、各種センサを含む検知装置は在宅／不在に関わらず、異常を検知したとき、常にホームセキュリティ装置へセンサ検知信号を送信する。センサ検知信号を受信したホームセキュリティ装置は、不在と認識している場合にのみ、警報を発したり、警備会社等へ通報したりする。しかし、電池で駆動する検知装置の場合は、電池交換の作業が煩雑であることから、できる限りホームセキュリティ装置へのセンサ検知信号の送信回数を減らして消費電力を抑え、電池寿命を延ばすことが望ましい。例えば特開平６-１３９４８３号公報（特許文献１）には、センサ（検知装置）における無線送信回数を減らして電池寿命を長くするために、センサ（検知装置）内にスイッチを設け、該スイッチによって在宅／不在を認識し、センサ検知信号をホームセキュリティ装置（セキュリティ機器）へ送信するか否かを切替えるとした技術が記載されている。
【０００３】
【特許文献１】特開平６-１３９４８３号公報
【発明の開示】
【発明が解決しようとする課題】
【０００４】
上記特開平６-１３９４８３号公報記載の技術では、スイッチを切替えるためにユーザがセンサ（検知装置）の近くに近づかなければならない。一般にドアセンサや窓センサは、家の内装上目立たないドア上部や窓上部などに設置される場合が多いため、センサ（検知装置）のスイッチ切替え操作のためには、踏み台などの道具も必要となるなど操作が煩雑になる。また、単に、ホームセキュリティ装置（セキュリティ機器）からの設定信号により、センサを含む検知装置側における在宅／不在の設定を切替える構成では、検知装置が常時受信状態にあることが必要であるため、消費電力が増加することになり、電池寿命が短くなる。
本発明の課題点は、上記従来技術の状況に鑑み、セキュリティ監視技術において、ユーザによるスイッチ操作等によらずに簡単に動作モード（不在モード、在宅モード）の切替えを行えるようにし、装置の消費電力を減らして電池寿命を伸ばせるようにすることである。
本発明の目的は、上記課題点を解決し、省電力型で使い勝手性の良いセキュリティ監視技術を提供することにある。
【課題を解決するための手段】
【０００５】
上記課題点を解決するために、本発明では、ドア、窓などの開閉動作の、センサ部による一定時間内の検知回数に基づき、動作モードを、検知データをセキュリティ機器側に無線送信可能な不在モード（第１のモード）または無線送信しない在宅モード（第２のモード）に切替える制御手段を検知装置内に備え、不在モードの場合だけ検知データをセキュリティ機器側に送信可能にする構成とする。
【発明の効果】
【０００６】
本発明によれば、セキュリティ監視技術において、ユーザによるスイッチ操作等を不要にでき、簡単に、検知装置側で動作モード（不在モード、在宅モード）の切替えを行うことができる。また、該切替えにより消費電力を減らして電池寿命を伸ばせる。
【発明を実施するための最良の形態】
【０００７】
以下、本発明を実施するための最良の形態につき、図面を用いて説明する。
図１〜図３は、本発明の第１の実施形態の説明図である。図１は、本発明の第１の実施形態としてのセキュリティ監視装置の構成例図、図２は、図１の構成中の無線通信機能付き検知装置の内部構成例図、図３は、図２の無線通信機能付き検知装置の動作説明図である。本第１の実施形態は、ユーザが外出する際には、ドア、窓のいずれか一方または両方につき開閉を一定時間（５秒）内に所定回数（４回）行うことで、無線通信機能付き検知装置の動作モードを在宅モードから不在モードに切替え、また、ユーザが帰宅した際には、ドア、窓のいずれか一方または両方につき開閉をやはり一定時間（５秒）内に所定回数（４回）行うことで、無線通信機能付き検知装置の動作モードを不在モードから在宅モードに切替えられるようにした場合の例である。
【０００８】
図１において、１０は、外部機器またはセキュリティ機器としてのホームセキュリティ機器、１１ａは、ドアに取付けられ該ドアの開閉を検知し検知データとして無線送信するための無線送信機能付き検知装置、１１ｂは窓に取付けられ該窓の開閉を検知し検知データとして無線送信するための無線送信機能付き検知装置である。ホームセキュリティ機器１０は、無線送信機能付き検知装置１１ａ、１１ｂから無線送信された検知データの信号を受信する機能を有する。無線送信機能付き検知装置１１ａ、１１ｂは、宅内におけるユーザの在宅／不在に対応する在宅モード／不在モードを認識し両モード相互間でモード切替えをすることができる構成を備え、ドアや窓の開閉を検知したとき、不在モードの場合にのみ、検知データ１２をホームセキュリティ装置１０側へ無線送信する。また、無線送信機能付き検知装置１１ａ、１１ｂは、在宅モード／不在モードを切替えたとき（または切替えるとき）、すなわち、在宅モードから不在モードに切替えたときや、不在モードから在宅モードに切替えたとき（または切替えるとき）は、該モード切替えを示すデータであるモード切替えデータ１３をホームセキュリティ装置１０へ無線送信する。ホームセキュリティ装置１０は、無線送信機能付き検知装置１１ａ、１１ｂから検知データ１２を受信した場合は、音を発生して不審な侵入があることを周囲に警報し、また、モード切替えデータ１３を受信した場合は、在宅モード／不在モードが切替わったことを音声で知らせるようになっている。
【０００９】
図２は、無線送信機能付き検知装置１１ａ、１１ｂの内部構成例を示す図である。図２の説明中に用いる図１の構成要素には図１の場合と同じ符号を付す。
図２において、２０はドアや窓の開閉を検知し検知データ２３として出力するセンサ部、２１は制御手段としての制御部、２２は、検知データ１２またはモード切替えデータ１３を、外部機器またはセキュリティ機器としてのホームセキュリティ装置１０側に無線送信する送信手段としての無線送信部である。制御部２１は、一定時間内の上記センサ部２０における、上記ドアや窓の開閉動作の検知回数に基づき、無線送信機能付き検知装置１１ａ、１１ｂとしての動作モードを、上記検知データを上記無線送信部２２から無線送信可能な不在モード（第１のモード）かまたは無線送信しない在宅モード（第２のモード）かのいずれかに切替える。すなわち、センサ部２０はドアの開閉を検知すると、検知データ２３を制御部２１へ送る。制御部２１はタイマを有し、センサ部２０から一定時間内に所定回数の検知データ２３を受け取ると、無線送信機能付き検知装置１１ａ、１１ｂの動作モードを、不在モード（第１のモード）か在宅モード（第２のモード）かに切替える。すなわち、無線送信機能付き検知装置１１ａ、１１ｂの動作モードが、現在在宅モードにあるときは不在モードに切替え、逆に、現在不在モードにあるときは在宅モードに切替える。なお、本第１の実施形態の場合は、上記一定時間を５秒、上記所定回数を４回とする。ここで、在宅／不在モードが切替わる場合には、制御部２１は、モード切替えデータ１３を無線送信部２２へ送る。一方、不在モードのときには、制御部２１は、センサ部２０から検知データ２３を受け取ると、検知データ１２を無線送信部２２へ送る。そして、無線送信部２２は、制御部２１から受け取った検知データ１２あるいはモード切替えデータ１３を、ホームセキュリティ装置１０へ無線送信する。センサ部２０による検知方式としては、例えば赤外線方式など種々のものが考えられる。
【００１０】
図３は、ドアや窓の開閉が起きてから、図１における無線送信機能付き検知装置１１ａ、１１ｂがホームセキュリティ装置１０に対して検知データ１２やモード切替えデータ１３を送信するまでの動作説明図である。図３の説明においても、説明中に用いる図１、図２の構成要素には図１、図２の場合と同じ符号を付すとする。
図３において、
（１）まず、動作を開始する（ステップＳＴ３００）。
（２）次に、無線送信機能付き検知装置１１ａ、１１ｂのセンサ部２０がドアや窓の開閉を検知する（ステップＳＴ３０１）。
（３）センサ部２０は検知データ２３を制御部２１へ送り、制御部２１はタイマを起動し、タイムアウト（５秒間）まで、検知データ２３を受け取る回数すなわちセンサ部２０によるドアや窓の開閉の検知回数をカウントする（ステップＳＴ３０２）。
（４）。タイムアウト後、制御部２１は、この５秒間に一定回数（４回）の検知データ２３をセンサ部２０から受け取ったか否か、すなわちセンサ部２０によるドアや窓の開閉の検知回数が上記一定回数（４回）か否かを判別する（ステップＳＴ３０３、ステップＳＴ３０４）。
（５）上記ステップＳＴ３０４における判別の結果、制御部２１が５秒間に４回の検知データ２３を受け取らない場合、制御部２１は、ドアや窓の開閉を通常の開閉と判断し、さらに不在モード（第１のモード）であるか、在宅モード（第２のモード）であるかを判別する（ステップＳＴ３０５）。
（６）上記ステップＳＴ３０５における判別の結果、不在モードである場合は、制御部２１は、無線送信部２２を介しホームセキュリティ装置１０へ検知データ１２を送信する（ステップＳＴ３０６）。
（７）無線送信機能付き検知装置１１ａ、１１ｂから検知データ１２を受信したホームセキュリティ装置１０は、宅内に不審な侵入があったとして、音声で警報して一連の監視動作を終了する（ステップＳＴ３０９）。
（８）上記ステップＳＴ３０４における判別の結果、５秒間に４回の検知データ２３をセンサ部２０から受け取った場合、制御部２１は、在宅モード／不在モードの切替え指示がされたものと判断し、現在が不在モードである場合は在宅モードに、また現在が在宅モードである場合は不在モードに切替える（ステップＳＴ３０７）。
（９）モード切替えの場合、制御部２１は、無線送信部２２を介し、ホームセキュリティ装置１０へモード切替えデータ１３を送信し、ホームセキュリティ装置１０において無線送信機能付き検知装置１１ａ、１１ｂの動作モードの切替えの表示や警報が行われるようにする（ステップＳＴ３０８）。
（１０）また、上記ステップＳＴ３０５における判別の結果、不在モードでなく在宅モードである場合は、制御部２１は、ホームセキュリティ装置１０を動作させる必要がないと判断し、無線送信部２２を介して、ホームセキュリティ装置１０へ検知データ１２を送信しない。
【００１１】
上記において、例えば、ユーザが外出する時は、ユーザは５秒間に４回の窓やドアの開閉動作を行って、無線送信機能付き検知装置１１ａ、１１ｂの動作モードを、在宅モードから不在モードに切替える。また、帰宅した時は、ユーザは５秒間に４回のドアや窓の開閉動作を行って、無線送信機能付き検知装置１１ａ、１１ｂの動作モードを、不在モードから在宅モードに切替える。
【００１２】
上記本発明の第１の実施形態によれば、ユーザは一定時間内（５秒間）に所定回数（４回）のドアや窓の開閉を行うことで、無線送信機能付き検知装置１１ａ、１１ｂの動作モードを、在宅モードまたは不在モードに切替えることができ、簡単に動作モードの切替えを行うことができる。在宅モードへ切替えたときは、検知データの無線送信をしないため、不在モード時も含め全体として作動用消費電力を減らすことができ、電池寿命を伸ばすことができる。
【００１３】
なお、上記第１の実施形態では、ホームセキュリティ装置１０は、不審な侵入を認識すると、音によって警報を発する構成としたが、この他、例えば、ホームセキュリティ装置１０が公衆回線と通信することで、警備会社や外出中のユーザに通報するようにしてもよい。
【００１４】
図４〜図５は、本発明の第２の実施形態の説明図である。図４は、本発明の第２の実施形態としての無線送信機能付き検知装置の動作説明図、図５は、図４中の動作のうち、動作モードを切替える新たな条件設定を行うときの設定動作の説明図である。本第２の実施形態は、ユーザが外出する際には、ドア、窓のいずれか一方または両方につき開閉を一定時間内（５秒以内）に所定回数（４回）行うことで、無線通信機能付き検知装置の動作モードを在宅モードから不在モードに切替え、また、ユーザが帰宅した際には、ドア、窓のいずれか一方または両方につき開閉をやはり一定時間内（５秒以内）に所定回数（４回）行うことで、無線通信機能付き検知装置の動作モードを不在モードから在宅モードに切替えられるようにするとともに、該一定時間（５秒）及び該所定回数（４回）のそれぞれの値を変更し新たな値を設定する（＝設定条件を変える）設定モードを設けるようにした場合の例である。本図４の説明においても、説明中で用いる図１、図２の構成要素には図１、図２の場合と同じ符号を付すとする。
【００１５】
図４において、
（１）まず、動作を開始する（ステップＳＴ４００）。
（２）次に、無線送信機能付き検知装置１１ａ、１１ｂのセンサ部２０がドアや窓の開閉を検知する（ステップＳＴ４０１）。
（３）センサ部２０は検知データ２３を制御部２１へ送り、制御部２１はタイマを起動して、タイムアウト（５秒間）まで、検知データ２３を受け取る回数すなわちセンサ部２０によるドアや窓の開閉の検知回数をカウントする（ステップＳＴ４０２）。
（４）タイムアウト後、制御部２１は、この５秒間に一定回数（４回）の検知データ２３をセンサ部２０から受け取ったか否か、すなわちセンサ部２０によるドアや窓の開閉の検知回数が、動作モード（在宅モード／不在モード）を切替えるための上記一定回数（４回）かまたは上記設定条件を変える設定モードにするための回数（本実施形態では６回とする）か、またはそのいずれでもないかを判別する（ステップＳＴ４０３、ステップＳＴ４０４）。
（５）上記ステップＳＴ４０４における判別の結果、制御部２１が５秒間に、４回の検知データ２３も、また６回の検知データ２３も受け取らない場合、すなわち、検知データ２３の検知回数が４回でも６回でもない場合には、該制御部２１は、動作モードの切替え指示も設定モードへの切替え指示もされず、ドアや窓の開閉は通常の開閉であると判断し、さらに不在モード（第１のモード）であるか、在宅モード（第２のモード）であるかを判別する（ステップＳＴ４０５）。
（６）上記ステップＳＴ４０５における判別の結果、不在モードである場合は、制御部２１は、無線送信部２２を介してホームセキュリティ装置１０へ検知データ１２を送信させる（ステップＳＴ４０６）。
（７）無線送信機能付き検知装置１１ａ、１１ｂから検知データ１２を受信したホームセキュリティ装置１０は、宅内に不審な侵入があったとして、音声での警報を行い一連の監視動作を終了する（ステップＳＴ４１１）。
（８）上記ステップＳＴ４０４における判別の結果、制御部２１が５秒間に４回の検知データ２３をセンサ部２０から受け取った場合、該制御部２１は、在宅モード／不在モードの切替え指示がされたものと判断し、現在が不在モードである場合は在宅モードに、また現在が在宅モードである場合は不在モードに切替える（ステップＳＴ４０７）。
（９）上記ステップＳＴ４０７におけるモード切替えの場合、制御部２１は、無線送信部２２を介し、ホームセキュリティ装置１０へモード切替えデータ１３を送信し、ホームセキュリティ装置１０において無線送信機能付き検知装置１１ａ、１１ｂの動作モードの切替えの表示や警報が行われるようにする（ステップＳＴ４０８）。
（１０）また、上記ステップＳＴ４０４における判別の結果、制御部２１が５秒間に６回の検知データ２３をセンサ部２０から受け取った場合には、該制御部２１は、上記設定モードの切替え指示がされたものと判断し、無線送信機能付き検知装置１１ａ、１１ｂを設定モードに切替える（ステップＳＴ４０９）。
（１１）上記設定モード状態で、制御部２１は上記設定条件（上記一定時間、上記所定回数のいずれかの値または両方の値）を新たに設定する（ステップＳＴ４１０）。
（１２）上記新たな設定条件で無線送信機能付き検知装置１１ａ、１１ｂの在宅モード／不在モードの切替えが行われるようにして一連の動作を終了する（ステップＳＴ４１１）。
（１３）また、上記ステップＳＴ４０５における判別の結果、不在モードでなく在宅モードである場合は、制御部２１は、ホームセキュリティ装置１０を動作させる必要がないと判断し、無線送信部２２を介して、ホームセキュリティ装置１０へ検知データ１２を送信しない。
【００１６】
上記において、例えば、ユーザが外出する時は、ユーザは５秒間に４回の窓やドアの開閉動作を行って、無線送信機能付き検知装置１１ａ、１１ｂの動作モードを、在宅モードから不在モードに切替える。また、帰宅した時は、ユーザは５秒間に４回のドアや窓の開閉動作を行って、無線送信機能付き検知装置１１ａ、１１ｂの動作モードを、不在モードから在宅モードに切替える。
【００１７】
図５は、上記図４のステップＳＴ４１０における動作、すなわち設定モードにおける制御部２１による設定動作の内訳を示す図である。本図５の説明においても、説明中で用いる図１、図２の構成要素には図１、図２の場合と同じ符号を付すとする。
図５において、
（１）まず、設定動作を開始させる（ステップＳＴ５００）。
（２）設定モードに切替わると制御部２１は、一定時間を設定するモードに入ったことを示す一定時間設定データを、無線送信部２２を介しホームセキュリティ装置１０へ送信する（ステップＳＴ５０１）。
（３）一定時間設定データを受信したホームセキュリティ装置１０は、ユーザに対し音声で一定時間の設定を促す。そして、制御部２１はタイマを起動する（ステップＳＴ５０２）。
（４）その後、タイムアウト（本実施形態では１０秒とする）する（ステップＳＴ５０３）まで、センサ部２０が検知する検知データ２３をカウントする。
（５）タイムアウトすると、検知回数×一定時間（秒）を新規の一定時間として指定する（ステップＳＴ５０４）。例えばユーザが４回ドアの開閉を行った場合、上記ステップＳＴ４０３におけるタイムアウト時間が４秒に変更されるようにする。
（６）一定時間の設定が終了すると、次に、一定回数を設定するモードに入ったことを示す一定回数設定データを、無線送信部２２を介しホームセキュリティ装置１０へ送信する（ステップＳＴ５０５）。一定回数設定データを受信したホームセキュリティ装置１０は、ユーザに対し音声で一定回数の設定を促す。
（７）上記一定時間の設定の場合と同様に、制御部２１はタイマを起動し（ＳＴ５０６）、タイムアウトする（本実施形態では１０秒）まで（ステップＳＴ５０７）、センサ部２０が検知する検知データ２３をカウントする。
（８）タイムアウトすると、カウントした検知回数を新規の一定回数として指定する（ステップＳＴ５０８）。例えばユーザが５回ドアの開閉を行った場合、上記ＳＴ４０７に移行するための検知回数が５回となる。
（９）最後に、設定が終了したことを示す設定終了データを、無線送信部２２を介してホームセキュリティ装置１０へ送信する（ステップＳＴ５０９）。
（１０）ホームセキュリティ装置１０は、ユーザに対し音声で設定が終了したことを通知し、一連の設定動作を終了する（ステップＳＴ５０９）。設定後は、無線送信機能付き検知装置１１ａ、１１ｂは、動作モード（在宅モード／不在モード）を切替えるための一定時間が４秒、一定回数が５回と設定され、該設定条件下で上記図４に示す動作が行われる。
【００１８】
上記本発明の第２の実施形態によれば、ユーザは一定時間内（５秒間）に所定回数（４回）のドアや窓の開閉を行うことで、無線送信機能付き検知装置１１ａ、１１ｂの動作モードを、在宅モードまたは不在モードに切替えることができ、簡単に動作モードの切替えを行うことができる。また、ユーザは一定時間内（５秒間）に所定回数（６回）のドアや窓の開閉を行うことで、無線送信機能付き検知装置１１ａ、１１ｂを設定モードにし、該一定時間（５秒）や所定回数（４回）の値を別の任意の値に変更設定することができる。これによって、ユーザ以外に一定時間と一定回数を知られないようにすることができる。動作モードを在宅モードへ切替えたときは、検知データの無線送信をしないため、不在モード時も含め全体として作動用消費電力を減らすことができ、電池寿命を伸ばすことができる。
【００１９】
図６〜図９は、本発明の第３の実施形態の説明図である。図６は、本発明の第３の実施形態としてのセキュリティ監視装置の構成例図、図７は、図６の構成中の無線通信機能付き検知装置の内部構成例図、図８は、図６のホームセキュリティ装置の動作説明図、図９は、図６及び図７の無線通信機能付き検知装置の動作説明図である。本第３の実施形態は、無線通信機能付き検知装置の動作モードの切替え（不在モードから在宅モードへの切替え）をホームセキュリティ装置側から行う場合の例である。
【００２０】
図６において、６０は、外部機器またはセキュリティ機器としてのホームセキュリティ機器、６１ａは、ドアに取付けられ該ドアの開閉を検知し検知データとして無線送信するための無線送信機能付き検知装置、６１ｂは窓に取付けられ該窓の開閉を検知し検知データとして無線送信するための無線送信機能付き検知装置、６２は、不在モードから在宅モードへ切替えを行うユーザ認証としての暗証番号を入力するためのホームセキュリティ機器６０内における入力部である。ホームセキュリティ装置６０は、ユーザが入力部６２から暗証番号を入力し、認証が成功して不在モードから在宅モードへ切替わると、無線送信機能付き検知装置６１ａ、６１ｂへモード切替えデータ１３を送信する。無線送信機能付き検知装置６１ａ、６１ｂは、これを受信して動作モードを不在モードから在宅モードに切替える。無線送信機能付き検知装置６１ａ、６１ｂは、上記ホームセキュリティ装置６０からの上記モード切替えデータ１３を受信する受信手段を備える。
【００２１】
図７は、無線送信機能付き検知装置６１ａ、６１ｂの内部構成例を示す図である。図７の説明中に用いる図６の構成要素には図６の場合と同じ符号を付す。
図７において、２０はドアや窓の開閉を検知し検知データ２３として出力するセンサ部、２１は制御手段としての制御部、２２は、検知データ１２またはモード切替えデータ１３を、外部機器またはセキュリティ機器としてのホームセキュリティ装置１０側に無線送信する送信手段としての無線送信部、７０は、無線送信部２２が検知データ１２を送信した後の一定時間だけ、データを受信するために動作する受信手段としての無線受信部である。無線受信部７０は、ホームセキュリティ装置６０からモード切替えデータ１３を受信すると、モード切替えデータ１３を制御部２１へ送る。制御部２１は、該モード切替えデータ１３を受け取ると、無線送信機能付き検知装置６１ａ、６１ｂのとしての動作モードを、該モード切替えデータ１３に従って切替える。他の構成、作用は上記図２の場合と同様である。
【００２２】
図８は、図６におけるホームセキュリティ装置６０の動作説明図であって、ホームセキュリティ装置６０が、無線送信機能付き検知装置６１ａ、６１ｂ側から無線送信される検知データ１２を受信後、ユーザによるモード切替えのための認証が成功してモード切替えデータ１３を無線送信機能付き検知装置６１ａ、６１ｂ側に無線送信するまでの動作を示す図である。図８の説明中に用いる図６、図７の構成要素には図６、図７の場合と同じ符号を付すとする。
【００２３】
図８において、
（１）まず、ホームセキュリティ装置６０が動作を開始する（ステップＳＴ８００）。
（２）ホームセキュリティ装置６０は、無線送信機能付き検知装置６１ａ、６１ｂから無線送信された検知データ１２を受信する（ステップＳＴ８０１）。
（３）ホームセキュリティ装置６０は、タイマを起動する（ステップＳＴ８０２）。
（４）ホームセキュリティ装置６０は、予め設定された時間に対してタイムアウトになったか否かの判別を行う（ステップＳＴ８０３）。
（５）ステップＳＴ８０３における判別の結果、タイムアウト前に、入力部６２からユーザ入力があったときは、ホームセキュリティ装置６０は入力データが正しい暗証番号で認証が成功するか否かを判別する（ステップＳＴ８０４）。
（６）ステップＳＴ８０４における判別の結果、認証が成功すると、正しいユーザが帰宅したとして、ホームセキュリティ装置６０はモード切替えデータ１３を無線送信機能付き検知装置６１ａ、６１ｂへ送信する（ステップＳＴ８０５）。
（７）モード切替えデータ１３を送信することにより、ホームセキュリティ装置６０は、無線送信機能付き検知装置６１ａ、６１ｂに対する動作モード切替え指示動作を終了する（ステップＳＴ８０７）。
（８）上記ステップＳＴ８０３における判別の結果、タイムアウトになった場合は、無線送信機能付き検知装置６１ａ、６１ｂが異常事態を検知したとして、音等で警報を発する（ステップＳＴ８０６）。
（９）上記ステップＳＴ８０４における判別の結果、認証が失敗した場合は、上記ステップＳＴ８０３へ戻る。
【００２４】
図９は、図６における無線送信機能付き検知装置６１ａ、６１ｂの動作説明図であって、無線送信機能付き検知装置６１ａ、６１ｂが、検知データ１２をホームセキュリティ装置６０側に無線送信してから、自己の動作モードが切替わるまでの動作を示した図である。図９の説明中で用いる図６、図７の構成要素には、図６、図７の場合と同じ符号を付すものとする。
図９において、
（１）まず、無線送信機能付き検知装置６１ａ、６１ｂは動作を開始する（ステップＳＴ９００）。
（２）次に、無線送信機能付き検知装置６１ａ、６１ｂは、不在モードのとき、センサ部２０でドアや窓の開閉動作を検知すると、制御部２１が、無線送信部２２を介してホームセキュリティ装置６０側へ検知データ１２を無線送信するようにさせる（ステップＳＴ９０１）。
（３）無線送信機能付き検知装置６１ａ、６１ｂ内で、制御部２１は、さらに、無線受信部７０を動作させ（ステップＳＴ９０２）、タイマを起動する（ステップＳＴ９０３）。
（４）制御部２１は、予め設定されたタイムアウトまでに、無線受信部７０がホームセキュリティ装置６０からモード切替えデータ１３を受信するか否かを判別する（ステップＳＴ９０４）。
（５）上記ステップＳＴ９０４における判別の結果、タイムアウトまでに無線受信部７０がモード切替えデータ１３を受信したとされるときは、制御部２１は、正しいユーザが帰宅したものとして、動作モードを在宅モードに切替え（ステップＳＴ９０５）、無線受信部７０を停止させる（ステップＳＴ９０６）。
（６）また、上記ステップＳＴ９０４における判別の結果、タイムアウトまでにホームセキュリティ装置６０からモード切替えデータ１３を受信していないとされるときにも、制御２１は無線受信部７０を停止させる（ステップＳＴ９０６）。
（７）無線受信部７０の停止によって、ホームセキュリティ装置６０からのモード切替えデータ１３による動作モードの切替え動作を終了する（ステップＳＴ９０７）。
【００２５】
以下、上記図８の動作と上記図９の動作との組み合わせにつき述べる。
上記図６〜図９において、無線送信機能付き検知装置６１ａ、６１ｂが、不在モードの状態でドアや窓の開閉を検知し、ホームセキュリティ装置６０へ検知データ１２を無線送信すると、ホームセキュリティ装置６０は、該検知がユーザの帰宅であるか否かを判別するために、入力部６２によるユーザの認証作業を待つ。認証が成功してユーザの帰宅であることを判別すると、ホームセキュリティ装置６０は、無線送信機能付き検知装置６１ａ、６１ｂに対しモード切替えデータ１３を無線送信し、これによって該無線送信機能付き検知装置６１ａ、６１ｂの動作モードが、制御部２１による制御に基づき在宅モードに切替わる。一方、ホームセキュリティ装置６０で認証が行われなかった場合や、認証が正しくなかった場合などは、無線送信機能付き検知装置６１ａ、６１ｂが異常を検知したとして、ホームセキュリティ装置６０は警報を発する。
【００２６】
上記本発明の第３の実施形態によれば、上記第１の実施形態、第２の実施形態の場合と同様、一定時間内に所定回数のドアや窓の開閉が行うことで、無線送信機能付き検知装置６１ａ、６１ｂの動作モードを切替えることができ、簡単に動作モードの切替えを行うことができる。特に、不在モードから在宅モードへの動作モードの切替えを、ホームセキュリティ装置６０からのモード切替えデータ１３によって行うため、モード切替えが外部の人に知られてしまうことを防止することができる。在宅モードへ切替えたときは、検知データの無線送信をしないため、装置作動用の消費電力を減らすことができ、電池寿命を伸ばすことができる。また、不在モード時も、無線受信部７０は、無線送信部２２が検知データ１２を送信した後の一定時間だけ動作するため、不在モード時の装置作動用消費電力をより一層減らすことができる。
【図面の簡単な説明】
【００２７】
【図１】本発明の第１の実施形態としてのセキュリティ監視装置の構成例図である。
【図２】図１の無線通信機能付き検知装置の内部構成例図である。
【図３】図２の無線通信機能付き検知装置の動作説明図である。
【図４】本発明の第２の実施形態としての無線送信機能付き検知装置の動作説明図である。
【図５】図４中の動作のうち動作モード切替え用の条件設定動作の説明図である。
【図６】本発明の第３の実施形態としてのセキュリティ監視装置の構成例図である。
【図７】図６の無線通信機能付き検知装置の内部構成例図である。
【図８】図６のホームセキュリティ装置の動作説明図である。
【図９】図７の無線通信機能付き検知装置の動作説明図である。
【符号の説明】
【００２８】
１０、６０…ホームセキュリティ装置、
１１ａ、１１ｂ、６１ａ、６１ｂ…無線通信機能付き検知装置、
１２、２３…検知データ、
１３…モード切替えデータ、
２０…センサ部、
２１…制御部、
２２…無線送信部、
６２…入力部、
７０…無線受信部。
【図１】
2005135162.tif 000003
【図２】
2005135162.tif 000004
【図３】
2005135162.tif 000005
【図４】
2005135162.tif 000006
【図５】
2005135162.tif 000007
【図６】
2005135162.tif 000008
【図７】
2005135162.tif 000009
【図８】
2005135162.tif 000010
【図９】
2005135162.tif 000011